【手続補正書】
【提出日】平成30年7月20日(2018.7.20)
【手続補正１】
【補正対象書類名】特許請求の範囲
【補正対象項目名】全文
【補正方法】変更
【補正の内容】
【特許請求の範囲】
【請求項１】
通信装置であって、
コンテンツを再生する再生手段と、
前記コンテンツを再生するサービスの実行要求と、第１の通信方式より通信速度が速いまたは通信距離が長い第２の通信方式による無線通信であって、前記コンテンツを取得するための無線通信を行うための通信パラメータとを前記第１の通信方式により他の通信装置に送信する送信手段と、
を有することを特徴とする通信装置。
【請求項２】
前記送信手段は、前記再生手段により前記コンテンツを再生中に前記実行要求と前記通信パラメータとを前記第1の通信方式により前記他の通信装置に送信することを特徴とする請求項１に記載の通信装置。
【請求項３】
前記他の通信装置と前記第１の通信方式による無線通信を確立する確立手段を更に有し、
前記送信手段は、前記確立手段により前記他の通信装置と前記第1の通信方式による無線通信が確立された場合に前記実行要求と前記通信パラメータとを送信することを特徴とする請求項１または２に記載の通信装置。
【請求項４】
前記送信手段は、前記実行要求と、前記通信パラメータと、前記確立手段により前記他の通信装置との前記第1の通信方式による無線通信を確立した際の、前記再生手段による前記コンテンツの再生の進行に基づく再生位置を示す情報とを送信することを特徴とする請求項３に記載の通信装置。
【請求項５】
前記送信手段は、前記再生手段による前記コンテンツの再生が一時停止されている場合に、前記コンテンツが一時停止された際の再生位置を示す情報を前記他の通信装置に送信することを特徴とする請求項１乃至３のいずれか１項に記載の通信装置。
【請求項６】
前記コンテンツの再生位置を示す情報は、タイムスタンプまたはインデックス情報であることを特徴とする請求項４または５に記載の通信装置。
【請求項７】
前記送信手段は、前記コンテンツを取得するためのアドレス情報を前記他の通信装置に送信することを特徴とする請求項１乃至６のいずれか１項に記載の通信装置。
【請求項８】
前記通信パラメータは、前記通信装置により形成される無線ネットワークで通信するためのパラメータであり、
前記通信装置は、前記無線ネットワークを介して前記他の通信装置に前記コンテンツを提供することを特徴とする請求項１乃至７のいずれか１項に記載の通信装置。
【請求項９】
前記通信パラメータは、前記通信装置と異なる装置であって、前記コンテンツを配信する配信装置により形成される無線ネットワークで通信するためのパラメータであることを特徴とする請求項１乃至７のいずれか１項に記載の通信装置。
【請求項１０】
前記通信パラメータは、アクセスポイントとして動作する装置により形成され、前記コンテンツを配信する装置が参加している無線ネットワークで通信するためのパラメータであることを特徴とする請求項１乃至７のいずれか１項に記載の通信装置。
【請求項１１】
前記再生手段は、前記コンテンツをストリーミング再生することを特徴とする請求項１乃至１０のいずれか１項に記載の通信装置。
【請求項１２】
通信装置であって、
コンテンツを再生するサービスの実行要求と、第１の通信方式より通信速度が速いまたは通信距離が長い第２の通信方式による無線通信であって、前記コンテンツを取得するための無線通信を行うための通信パラメータとを前記第１の通信方式により前記他の通信装置から受信する受信手段と、
前記通信パラメータに基づく前記第２の通信方式による通信により前記コンテンツを取得する取得手段と、
を有することを特徴とする通信装置。
【請求項１３】
前記他の通信装置と前記第1の通信方式による無線通信を確立する確立する確立手段を更に有し、
前記受信手段は、前記確立手段により前記他の通信装置と前記第1の通信方式による無線通信が確立された場合に前記実行要求と前記通信パラメータを受信することを特徴とする請求項１２に記載の通信装置。
【請求項１４】
前記取得手段により取得した前記コンテンツを再生する再生手段を更に有し、
前記受信手段は、前記コンテンツの再生位置を示す情報を前記第１の通信方式により前記他の通信装置から受信し、
前記再生手段は、前記情報が示す再生位置から前記取得手段により取得された前記コンテンツを再生することを特徴とする請求項１２または１３に記載の通信装置。
【請求項１５】
前記コンテンツの再生位置を示す情報は、タイムスタンプまたはインデックス情報であることを特徴とする請求項１４に記載の通信装置。
【請求項１６】
前記受信手段は、前記コンテンツを取得するためのアドレス情報を前記他の通信装置から受信し、
前記取得手段は、前記アドレス情報に基づいて前記コンテンツを取得することを特徴とする請求項１２乃至１５のいずれか１項に記載の通信装置。
【請求項１７】
前記受信手段による受信に応じて、前記第２の通信方式による通信の可否と前記サービスの実行可否とを示すための応答メッセージを前記他の通信装置に送信する送信手段を更に有することを特徴とする請求項請求項１２乃至１６のいずれか１項に記載の通信装置。
【請求項１８】
前記コンテンツのフォーマットが、前記通信装置が再生できないフォーマットである場合、前記取得手段は、前記コンテンツの取得を行わないことを特徴とする請求項１２乃至１７のいずれか１項に記載の通信装置。
【請求項１９】
前記サービスは、ストリーミング再生サービスであることを特徴とする請求項１乃至１９のいずれか１項に記載の通信装置。
【請求項２０】
前記通信パラメータは、ＳＳＩＤ、ネットワークキー、暗号方式、認証方式及びＭＡＣアドレスのうち少なくともいずれか一つが含まれることを特徴とする請求項１乃至１９のいずれか１項に記載の通信装置。
【請求項２１】
前記第１の通信方式は、ＮＦＣ（Ｎｅａｒ  Ｆｉｅｌｄ  Ｃｏｍｍｕｎｉｃａｔｉｏｎ）、ＴｒａｎｓｆｅｒＪｅｔまたはＢｌｕｅｔｏｏｔｈ（登録商標）  ｌｏｗ  ｅｎｅｒｇｙであることを特徴とする請求項１乃至２０のいずれか１項に記載の通信装置。
【請求項２２】
前記第２の通信方式は、ＩＥＥＥ８０２．１１シリーズまたはＢｌｕｅｔｏｏｔｈ（登録商標）であることを特徴とする請求項１乃至２１のいずれか１項に記載の通信装置。
【請求項２３】
前記コンテンツは、動画または音であることを特徴とする請求項１乃至２２のいずれか１項に記載の通信装置。
【請求項２４】
コンテンツを再生する再生手段を有する通信装置の制御方法であって、
前記コンテンツを再生するサービスの実行要求と、第１の通信方式より通信速度が速いまたは通信距離が長い第２の通信方式による無線通信であって、前記コンテンツを取得するための無線通信を行うための通信パラメータとを前記第１の通信方式により前記他の通信装置に送信する送信工程と、
を有することを特徴とする通信装置の制御方法。
【請求項２５】
通信装置の制御方法であって、
コンテンツを再生するサービスの実行要求と、第１の通信方式より通信速度が速いまたは通信距離が長い第２の通信方式による無線通信であって、前記コンテンツを取得するための無線通信を行うための通信パラメータとを前記第１の通信方式により前記他の通信装置から受信する受信工程と、
前記通信パラメータに基づく前記第２の通信方式による通信により前記コンテンツを取得する取得工程と、
を有することを特徴とする通信装置の制御方法。
【請求項２６】
コンピュータを請求項１乃至２３の何れか１項に記載の通信装置として動作させるためのプログラム。
【手続補正２】
【補正対象書類名】明細書
【補正対象項目名】０００６
【補正方法】変更
【補正の内容】
【０００６】
本発明の通信装置は、コンテンツを再生する再生手段と、前記コンテンツを再生するサービスの実行要求と、第１の通信方式より通信速度が速いまたは通信距離が長い第２の通信方式による無線通信であって、前記コンテンツを取得するための無線通信を行うための通信パラメータとを前記第１の通信方式により他の通信装置に送信する送信手段と、を有する。
【手続補正３】
【補正対象書類名】明細書
【補正対象項目名】０００７
【補正方法】変更
【補正の内容】
【０００７】
また、本発明の他の態様の通信装置は、コンテンツを再生するサービスの実行要求と、第１の通信方式より通信速度が速いまたは通信距離が長い第２の通信方式による無線通信であって、前記コンテンツを取得するための無線通信を行うための通信パラメータとを前記第１の通信方式により前記他の通信装置から受信する受信手段と、前記通信パラメータに基づく前記第２の通信方式による通信により前記コンテンツを取得する取得手段と、を有する。
【手続補正４】
【補正対象書類名】明細書
【補正対象項目名】０００８
【補正方法】削除
【補正の内容】